(57)【要約】本発明は、二重パックに関し、空気が通過する気孔を有する本体と、該本体の内部に配置されており、保管物が収容される保管胴体と、前記本体を貫通して前記保管胴体の内部と連結されている入出水部と、を備え、前記本体と前記保管胴体はフレキシブルであり、前記本体の内周面と前記保管胴体の外周面とが離れている。【選択図】図１
2013535382.tif 000002
【特許請求の範囲】
【請求項１】
空気が通過する気孔を有する本体と、
内部に保管物が収容され、前記本体の内部に配置された保管胴体と、
前記本体及び前記保管胴体を貫通し、前記保管物を外部に排出する流路を有する入出水部胴体、及び前記流路に配置されて、前記保管物の排出を制御する蓋を有する入出水部と、
前記入出水部胴体に装着され、前記保管物が排出されるように前記蓋を前記流路から離して前記流路を開く排水ラインと、
前記本体と前記保管胴体との間に配置された少なくとも一つの層間部材と、
を備え、
前記保管物が前記保管胴体から外部に排出されると、フレキシブルな前記保管胴体の体積は減り、前記保管胴体の減った体積だけ、前記気孔を通って前記本体の内部に外部空気が流入し、前記本体の内部に流入した空気により前記本体が変形されない、二重パック。
【請求項２】
前記層間部材は、前記保管胴体の内部から外部へ、または前記保管胴体の外部から前記保管胴体の内部へ熱が伝達されるのを防ぐ断熱材である、請求項１に記載の二重パック。
【請求項３】
前記層間部材は、前記保管胴体の内部に保管された内容物を冷却または加熱する冷却ヒーティング装置である、請求項１に記載の二重パック。
【請求項４】
前記層間部材は、前記保管胴体が外部の衝撃から損傷することを防止する保護膜である、請求項１に記載の二重パック。
【請求項５】
前記層間部材は、発光部材である、請求項１に記載の二重パック。
【請求項６】
前記層間部材は、ディスプレイパネルである、請求項１に記載の二重パック。
【請求項７】
前記本体の内部に配置され、一部分が前記本体の内部面に付着されて残り部分は気孔の周辺に着脱可能である遮断膜をさらに備える、請求項１に記載の二重パック。
【請求項８】
前記本体の表面に形成された印刷部をさらに備える、請求項１に記載の二重パック。
【発明の詳細な説明】
【技術分野】
【０００１】
本発明は、二重パックに関する。
【背景技術】
【０００２】
一般に、パック（ｐａｃｋ）の内部には内容物が保管されており、表面には内容物を表示する文句などが印刷されている。
【０００３】
このように、二重パックの内部に内容物が保管されている間には、二重パックは膨れた状態を維持する。なお、二重パックが膨れた状態を維持しているため、文句も変形されることなく元の状態をそのまま維持している。
【０００４】
しかしなから、二重パックの内部から内容物が排出されると、二重パックが歪みながら二重パックの表面に表示された文句が見分けにくくなり、広告効果及び情報を正確に伝達することができない。
【発明の概要】
【発明が解決しようとする課題】
【０００５】
本発明は、二重パックの内部に保存された内容物が排出されても、二重パックの外部表面に形成された印刷部が元の形態をそのまま維持できるようにした二重パックを提供する。
【課題を解決するための手段】
【０００６】
本発明の一実施例に係る二重パックは、気孔を有する本体と、該本体の内部に配置されており、保管物が収容される保管胴体と、前記本体を貫通して前記保管胴体の内部と連結されている入出水部と、を備え、前記本体と前記保管胴体はフレキシブルであり、前記本体の内周面と前記保管胴体の外周面とが離れている。
【０００７】
前記二重パックは、前記本体と前記保管胴体との間に配置された少なくとも一つの層間部材をさらに備えることができる。
【０００８】
前記層間部材は、前記保管胴体の内部から外部へ、または前記保管胴体の外部から前記保管胴体の内部へ熱が伝達されることを防ぐ断熱材でよい。
【０００９】
前記層間部材は、前記保管胴体の内部に保管された内容物を冷却または加熱する冷却ヒーティング装置でもよい。
【００１０】
前記層間部材は、前記保管胴体が外部の衝撃から損傷することを防止する保護膜でもよい。
【００１１】
前記層間部材は発光部材でもよい。
【００１２】
前記層間部材はディスプレイパネルでもよい。
【００１３】
前記二重パックは、前記本体の内部に配置され、一部分が前記本体の内部面に付着されて残り部分は気孔の周辺に着脱可能である遮断膜をさらに備えることができる。
【００１４】
前記二重パックは、前記本体の表面に形成された印刷部をさらに備えることができる。
【発明の効果】
【００１５】
本発明の実施例によれば、本体の内部に配置された保管胴体の内部から内容物が排出されると、気孔を通って本体の内部に、内容物が排出された分だけ空気が流入し、流入した空気により本体が歪むことなく元の状態を維持することができる。本体が元の状態を維持すると、本体に形成された印刷部が変形されず、保管胴体から流体が排出された状態でも情報を正確に伝達することができる。
【００１６】
本発明の実施例によれば、本体と保管胴体との間に配置された層間部材により、保管胴体を保護できると共に、二重パックの広告効率性を向上させることができる。
【図面の簡単な説明】
【００１７】
【図１】本発明の一実施例に係る二重パックを示す斜視図である。
【図２】図１のＩＩ−ＩＩ線に沿って二重パックを切断した断面図である。
【図３】図２に示す層間部材の実施例を示す断面図である。
【図４】図２に示す層間部材の実施例を示す断面図である。
【図５】図２に示す層間部材の実施例を示す断面図である。
【図６】図２に示す層間部材の実施例を示す断面図である。
【図７】図２に示す層間部材の実施例を示す断面図である。
【図８】本発明の一実施例に係る保管胴体が収縮した状態を示す斜視図である。
【図９】図８のＩＸ−ＩＸ線に沿って二重パックを切断した断面図である。
【発明を実施するための形態】
【００１８】
以下、本発明の属する技術の分野における通常の知識を有する者が容易に実施できるように本発明の実施例について添付の図面を参照して詳細に説明する。ただし、本発明は様々な形態に具現することができ、ここに説明される実施例に限定されない。明細書全体を通じて類似の部分には同一の図面符号を付する。
【００１９】
以下、本発明の一実施例に係る二重パックについて、図１及び図２を参照して説明する。
【００２０】
図１は、本発明の一実施例に係る二重パックを示す斜視図であり、図２は、図１のＩＩ−ＩＩ線に沿って二重パックを切断した断面図である。
【００２１】
図１及び図２を参照すると、本実施例に係る二重パック１は、本体１０、印刷部３０、保管胴体４０、及び入出水部５０を備える。
【００２２】
本体１０は、第１の表紙１０ａ及び第２の表紙１０ｂを有し、第１の表紙１０ａ及び第２の表紙１０ｂは互いに向かい合っており、縁部が互いに重なって接着されている。接着方式は、特に限定されず、例えば、熱融着方式を用いることができる。
【００２３】
第１の表紙１０ａ及び第２の表紙１０ｂの縁部のみが接着されており、中央部は互いに離れている。第１の表紙１０ａまたは第２の表紙１０ｂのいずれかには気孔１１が形成されている。気孔１１は、本体１０の内部と外部を連通させるもので、空気が通る孔である。
【００２４】
本体１０の内部圧力が低くなると、外部空気が気孔１１を通って本体１０内部に流入することができる。本体１０は、ビニール樹脂などで作ることができるが、これに限定されす、紙、プラスチック、ガラスなどで作ることもできる。本体１０はフレキシブルである。
【００２５】
一方、気孔１１が形成されている本体１０の内部面には遮断膜２０が配置され、遮断膜２０は、その一部分のみが本体１０の内部面に付着されている。付着されていない残り部分は気孔１１の周辺から分離可能である。遮断膜２０は、本体１０の内部圧力が低くなると、一部分が気孔１１の周辺から離れて、外部空気が本体１０の内部に流入可能にする。一方、本体１０の内部と外部の圧力が等しいか、または、本体１０の内部圧力が相対的に高くなると、遮断膜２０は本体１０の内部面に密着されて、本体１０の内部空気が外部に排出されるのを遮断する。遮断膜２０は軟質のゴムなどで作ることができる。この遮断膜２０は省かれてもよい。
【００２６】
また、第１の表紙１０ａと第２の表紙１０ｂには補強部材（図示せず）が設けられてもよい。補強部材は、本体１０の内部圧力の変化によって本体１０が歪むことを防止する。補強部材はプラスチックなどで作ることができる。
【００２７】
また、本体１０の表面には印刷部３０が形成されている。印刷部３０は、情報を伝達するもので、図形、文字などで構成することができる。
【００２８】
保管胴体４０は本体１０の内部に配置され、保管胴体４０の内部には飲み物などの内容物（流体）を保管することができる。保管胴体４０に保管された内容物は印刷部３０で表示され、印刷部３０から内容物の情報を確認することができる。
【００２９】
保管胴体４０の一部分は本体１０と連結されており、連結された部分には入出水部５０が装着される構成とすることができる。この構成に限定されず、保管胴体４０は本体１０から離れており、入出水部５０が保管胴体４０及び本体１０に結合される構成としてもよい。
【００３０】
保管胴体４０は、本体１０と同一の材質で作ることができる。そのため、保管胴体４０もフレキシブルである。なお、保管胴体４０の内部から内容物が排出されると、保管胴体４０は、入出水部５０が装着された部分からつぶれ始めながら体積が減る。
【００３１】
入出水部５０は、保管胴体４０の内部へと内容物が出入するもので、入出水部胴体５１及び蓋５２を備える。
【００３２】
入出水部胴体５１は、本体１０と保管胴体４０とが連結された部分に結合されており、中央部に流路５１１が形成されている。入出水部胴体５１に排水ライン５３が装着されると、保管胴体４０の内部の内容物を流路５１１を通して排出することもでき、逆に、内容物を流路５１１を通して保管胴体４０の内部に流入させることもできる。
【００３３】
蓋５２は流路５１１を塞いでおり、二重パック１の運搬や保管時に内容物が外部に排出されるのを遮断する。蓋５２は、排水ライン５３が入出水部胴体５１に結合される前に入出水部胴体５１から分離されてもよく、排水ライン５３が入出水部胴体５１に結合されながら入出水部胴体５１から分離されてもよい。ここでは、入出水部５０を保管胴体４０及び蓋５２とした構造を説明したが、様々な構造に変更可能である。
【００３４】
一方、本体１０と保管胴体４０との間には、保管胴体４０を保護したり二重パック１の広告効率を向上させたりできる少なくとも一つの層間部材６０が形成されている。層間部材６０は、保管胴体４０とは離れており、本体１０とは付着されていてもよく、本体１０及び保管胴体４０の両方から離れていてもよい。
【００３５】
図３乃至図７を参照して層間部材６０について説明する。
【００３６】
まず、図３を参照すると、層間部材６０は、保管胴体４０の内部から外部へ、または保管胴体４０の外部から保管胴体４０の内部へ熱が伝達されることを防ぐ断熱材６１でよい。断熱材６１は、スタイロフォーム、発泡ポリスチレン、アイソピンク、ポリウレタンフォーム、水性軟質フォーム、グラスウール、ミネラルウール、セルロースファイバー、エアロゲル、及び真空断熱パネルなどから選択することができる。
【００３７】
図４を参照すると、層間部材６０は、保管胴体４０の内部にある内容物を冷却または加熱する冷却ヒーティング装置６２でよい。
【００３８】
冷却ヒーティング装置６２は、冷媒パイプ（図示せず）及び熱線（図示せず）を備える。冷媒パイプの内部に冷媒が流れ得るように、外部に別途に設けられた冷凍サイクルと連結することができる。冷媒パイプに冷媒が流れることで、内容物の温度を下げることができる。
【００３９】
一方、熱線に電源が印加されると熱線が発熱し、熱線の発熱により、内容物を加熱することができる。冷却ヒーティング装置６２は熱電素子で構成することができる。これに限定されず、本発明の冷却ヒーティング装置６２は様々な構成とすることができる。
【００４０】
冷却ヒーティング装置６２は、冷却装置またはヒーティング装置のいずれかのみ形成されてもよい。
【００４１】
図５を参照すると、層間部材６０は、保管胴体４０が外部衝撃から破損することを防止する保護膜６３でもよい。保護膜６３は金属で作られ、メッシュ状に形成されている。これに限定されず、保護膜６３はプラスチックなどで作られてもよい。保管胴体４０を保護する構造としては、保護膜６３の他、プラスチック板材（図示せず）が形成されてもよい。
【００４２】
図６を参照すると、層間部材６０は、電源が接続されると発光する発光部材６４でもよい。発光部材６４は発光ダイオードである。なお、本体１０の内部に発光部材６４と電気的に接続された乾電池（図示せず）を配置してもよく、別途の外部電源が発光部材６４に接続されてもよい。このようにして発光部材６４が発光すると印刷部３０が強調され、広告効率を向上させることができる。
【００４３】
図７を参照すると、層間部材６０は、小型、薄型に形成されており、映像などが表示されるディスプレイ６５でもよい。ディスプレイ６５は、平板、液晶、プラズマ、ＥＬ素子とすることができる。ディスプレイ６５は記憶装置（図示せず）に接続しており、様々な広告内容を表示することができる。層間部材６０を平板ディスプレイ６５とした場合は、印刷部３０を省いてもよい。
【００４４】
本発明の層間部材６０は、特に限定されず、様々な形態にすることができ、例えば、複数の層間部材６０を積層した形態も可能である。
【００４５】
次に、図８及び図９を参照して、以上述べてきた二重パックの作用について説明する。
【００４６】
図８は、本発明の一実施例に係る保管胴体が収縮した状態を示す斜視図であり、図９は、図８のＩＸ−ＩＸ線に沿って二重パックを切断した断面図である。
【００４７】
図８及び図９を参照すると、保管胴体４０に保管された内容物を排出するために、入出水部胴体５１に排水ライン５３を連結する。排水ライン５３の結合により流路５１１が開放されると、保管胴体４０の内部にある内容物が流路５１１を通って自然に排出される。
【００４８】
つまり、二重パック１と排水ライン５３の排出口の高さ差（落差）または真空圧により、内容物を流路５１１を通して排出させることができる。
【００４９】
この時、保管胴体４０から内容物が排出されると、内容物が排出された分だけ保管胴体４０がつぶれながら本体１０の内部圧力が低くなる。こうなると、遮断膜２０の一部分が本体１０の内部面から離れて気孔１１が開く。開いた気孔１１を通って外部空気が本体１０の内部に流入することができる。すなわち、保管胴体４０から内容物が排出された分だけ、気孔１１を通って本体１０の内部に空気が流入する。
【００５０】
そして、本体１０の内容物が保管胴体４０から排出されないと、本体１０の内部には圧力変化がない。こうなると、遮断膜２０が本体１０の内部面に密着されながら気孔１１が塞がり、本体１０の内部空気は外部に排出されなくなる。
【００５１】
このように本体１０の内部に流入する空気によって本体１０は歪むことなく元の状態をそのまま維持することができる。さらに、本体１０に補強部材が装着されていると、本体１０は歪むことなくその状態をそのまま維持することができる。
【００５２】
本体１０が歪むことなく元の状態を維持すると、本体１０の表面に形成された印刷部３０も歪むことなく情報を正確に伝達することができる。
【００５３】
以上、本発明の好適な実施例について詳細に説明したが、これに本発明の権利範囲が限定されることはく、添付の特許請求の範囲で定義している本発明の基本概念を用いた、当業者による様々な変形及び改良の形態も、本発明の権利範囲に含まれる。
【図１】
2013535382.tif 000003
【図２】
2013535382.tif 000004
【図３】
2013535382.tif 000005
【図４】
2013535382.tif 000006
【図５】
2013535382.tif 000007
【図６】
2013535382.tif 000008
【図７】
2013535382.tif 000009
【図８】
2013535382.tif 000010
【図９】
2013535382.tif 000011
【国際調査報告】
2013535382.tif 000012
2013535382.tif 000013
2013535382.tif 000014
2013535382.tif 000015